(57)【要約】【課題】栽培したい作物の種類に対応した好ましいサイズの栽培床を形成することができる栽培容器、前記栽培容器を用いて形成される栽培床、および前記栽培を用いた栽培装置を提供する。【解決手段】栽培用の培土を収容する栽培容器であって、多角形の床、および床の各辺に設けられた側壁を備え、床のサイズが変更可能なように構成されている栽培容器。床が、略四角形である栽培容器。前記床が、略長方形であり、床の長辺側の２つの側壁間の距離により定まる床の幅が変更可能なように構成されている栽培容器。上記の栽培容器に培土が収容されている栽培床。上記の栽培床、および栽培床に液体肥料を供給する灌水装置を備えている栽培装置。【選択図】図１
2014075991.tif 000002
【特許請求の範囲】
【請求項１】
栽培用の培土を収容する栽培容器であって、
多角形の床、および前記床の各辺に設けられた側壁を備え、
前記床のサイズが変更可能なように構成されていることを特徴とする栽培容器。
【請求項２】
前記床が、略四角形であることを特徴とする請求項１に記載の栽培容器。
【請求項３】
前記床が、略長方形であり、
前記床の長辺側の２つの側壁間の距離により定まる前記床の幅が変更可能なように構成されていることを特徴とする請求項２に記載の栽培容器。
【請求項４】
略四角形の前記床、および前記床の相対向する１対の辺に設けられた側壁が、長尺の１枚の布によって一体に形成されており、
前記１対の辺の各辺に平行に配置されて上下左右に移動可能な少なくとも２本の棒状フレーム２組により前記布を支持することにより、前記床および前記側壁が形成されている
ことを特徴とする請求項２に記載の栽培容器。
【請求項５】
略長方形の前記床および前記長辺側の側壁が長尺の１枚の布によって一体に形成されており、
前記床の長辺と平行に配置された上下左右に移動可能な少なくとも４本の棒状フレームにより前記布を支持することにより、前記床および前記長辺側の側壁が形成されている
ことを特徴とする請求項３に記載の栽培容器。
【請求項６】
略四角形の床、前記床の３辺に設けられた側壁を有する第１容器部材および第２容器部材を備え、
前記第１容器部材と第２容器部材とは、互いの床同士および各容器部材の対向する側壁同士が嵌合されており、
嵌合された前記第１容器部材と第２容器部材を相互にスライドさせることにより、前記床の幅が変更できるように構成されている
ことを特徴とする請求項２に記載の栽培容器。
【請求項７】
略長方形の床、前記床の短辺側に設けられた１対の側壁、および一方の長辺側に設けられた側壁を有する第１容器部材および第２容器部材を備え、
前記第１容器部材と第２容器部材とは、互いの床同士および短辺側に設けられた側壁同士が嵌合されており、
嵌合された前記第１容器部材と第２容器部材を相互にスライドさせることにより、前記床の幅が変更できるように構成されている
ことを特徴とする請求項３に記載の栽培容器。
【請求項８】
前記側壁の高さが、変更可能なように構成されていることを特徴とする請求項１ないし請求項７のいずれか１項に記載の栽培容器。
【請求項９】
請求項１ないし請求項８のいずれか１項に記載の栽培容器に培土が収容されていることを特徴とする栽培床。
【請求項１０】
前記培土が、砂土または砂状の人工培土であることを特徴とする請求項９に記載の栽培床。
【請求項１１】
請求項９または請求項１０に記載の栽培床、および前記栽培床に液体肥料を供給する灌水装置を備えていることを特徴とする栽培装置。
【発明の詳細な説明】
【技術分野】
【０００１】
本発明は、栽培容器、栽培床および栽培装置に関し、詳しくは幅および深さを調節することができる栽培容器、前記栽培容器を用いて形成される栽培床、および前記栽培床を用いた栽培装置に関する。
【背景技術】
【０００２】
近年、施設園芸栽培では従来の土耕栽培に替わり、培地を地面（土壌）から隔離して作物を栽培する養液栽培等の栽培方法が多く用いられている。
【０００３】
上記した養液栽培による植物栽培法の１つに、サンドポニックス式砂栽培システムのように、砂土または砂状の人工培土を用いた栽培方法がある（例えば特許文献１、特許文献２）。
【０００４】
このような栽培方法は、病原菌に感染しにくいという水耕栽培には無い利点があり、基本的に無農薬栽培に適している。
【０００５】
また、砂土が培地中に空隙を形成するため、作物に必要な養水分を十分に保持することができると共に、作物根に十分な酸素を供給することができる。この結果、作物根は過湿害を受けることがなく、培地の根圏部分を酸素十分な状態とすることができる。
【０００６】
そして、栽培に必要な微量成分を砂から得ることができるため、水耕栽培のように完全培養液を必要とせず、窒素、リン酸、カリウムの三要素を含む養水分を与えるだけでよい。
【０００７】
そして、培土である砂土は、水洗することにより繰り返し使用しても連作障害を発生することがなく、また、微量成分量に変化がないため、長期にわたり使用できる。
【０００８】
以上のような特徴を有する上記の栽培方法は、各種いも類、ラディッシュ、小カブ等の根菜類、トマト、ナス、メロン等の果菜類、小松菜、ホウレン草、レタス、青梗菜等の葉菜類のいずれに対しても適用することができるため、年間を通じて、季節に応じた作物を栽培することができる。
【０００９】
そして、上記の栽培方法において、従来は、これらの作物を栽培する栽培床として、幅、厚み（砂厚）、長さが固定された栽培床が用いられていた。具体的には、厚みは、養水を十分に保持することができると共に、培地の上層部分と下層部分とにおける水分量をほぼ等しくできるように、７ｃｍ程度に設定されていた。そして、幅は、培地を摺りきりの状態で栽培容器に収納したときの幅が６０ｃｍ程度となるように設定されていた。また、長さは約３０ｍに設定されていた。
【先行技術文献】
【特許文献】
【００１０】
【特許文献１】特開平８−３７９６６号公報
【特許文献２】特開平１０−３１３６８６号公報
【発明の概要】
【発明が解決しようとする課題】
【００１１】
しかしながら、本発明者が、種々の実験を行ったところ、根菜類、果菜類、葉菜類を栽培するに際して、栽培床として好ましいサイズがそれぞれ異なっていることが分かった。
【００１２】
例えば、根菜類の場合には、幅３６ｃｍ、厚み１４ｃｍ程度のサイズの栽培床が好ましい。このようなサイズの栽培床を用いることにより、地下茎や根を培地中で十分に成長させることができる。
【００１３】
これに対して、果菜類の場合には、幅３６ｃｍ、厚み７ｃｍ程度のサイズの栽培床が好ましい。このようなサイズの栽培床を用いることにより、灌水量が低減されて果菜類にとって好ましい節水栽培を行うことができる。
【００１４】
また、葉菜類の場合には、幅６０ｃｍ、厚み７ｃｍ程度のサイズの栽培床が好ましい。このようなサイズの栽培床を用いることにより、培地表面に葉を広く成長させることができる。
【００１５】
以上のように、作物の種類によって栽培床のサイズを変更することが好ましいことが分かったが、異なるサイズの栽培床を準備することは煩雑でありコストも掛かるため、１種類の栽培床で、栽培したい作物の種類に対応した好ましいサイズの栽培床に適宜変更することが可能な栽培床が求められていた。また、きのこ類を栽培する場合にも同様の問題があり、きのこ類の種類に対応した好ましいサイズの栽培床が求められていた。
【００１６】
なお、上記においては、培土として砂土を用いている場合を例に挙げて説明したが、砂土以外の培土を用いる場合にも同様の問題があった。
【００１７】
そこで本発明は、栽培したい作物の種類に対応した好ましいサイズの栽培床を形成することができる栽培容器、前記栽培容器を用いて形成される栽培床、および前記栽培を用いた栽培装置を提供することを課題とする。
【課題を解決するための手段】
【００１８】
本発明者は、鋭意検討の結果、以下の各請求項に示す発明により、上記の課題が解決できることを見出し、本発明を完成するに至った。
【００１９】
請求項１に記載の発明は、
栽培用の培土を収容する栽培容器であって、
多角形の床、および前記床の各辺に設けられた側壁を備え、
前記床のサイズが変更可能なように構成されていることを特徴とする栽培容器である。
【００２０】
本請求項の発明においては、培土のサイズを変更することができるように、栽培容器の床が、サイズが可変可能な床により構成されているため、床のサイズを変更することにより培土のサイズを自由に変更させることができる。このため、１種類の栽培床でありながら、栽培したい作物の種類に対応した好ましいサイズの栽培床に適宜変更することが可能となり、異なるサイズの栽培床を準備する煩雑さやコストの上昇を抑制することができる。
【００２１】
請求項２に記載の発明は、
前記床が、略四角形であることを特徴とする請求項１に記載の栽培容器である。
【００２２】
多角形の中でも略四角形の栽培容器は、より容易に栽培床のサイズを変更させることができるため好ましい。略四角形の中でも、正方形、長方形がより好ましい。
【００２３】
なお、略四角形とは幾何学的に正確な四角形であることに限定されず、コーナー部に面取り部がある場合等を含むことを意味する。
【００２４】
請求項３に記載の発明は、
前記床が、略長方形であり、
前記床の長辺側の２つの側壁間の距離により定まる前記床の幅が変更可能なように構成されていることを特徴とする請求項２に記載の栽培容器である。
【００２５】
本請求項の発明においては、培土の幅を変更することができるように、栽培容器の床が、幅が可変可能な床により構成されているため、床の幅を変更することにより培土の幅を自由に変更させることができる。このため、１種類の栽培床でありながら、栽培したい作物の種類に対応した好ましい幅の栽培床に適宜変更することが可能となり、異なる幅の栽培床を準備する煩雑さやコストの上昇を抑制することができる。
【００２６】
また、通常長辺の方が短辺より遥かに長いため、上記のように幅を変更可能にすることにより、栽培床の面積を大幅に変えることができる。このため、本発明の効果がより顕著に発揮される。
【００２７】
請求項４に記載の発明は、
略四角形の前記床、および前記床の相対向する１対の辺に設けられた側壁が、長尺の１枚の布によって一体に形成されており、
前記１対の辺の各辺に平行に配置されて上下左右に移動可能な少なくとも２本の棒状フレーム２組により前記布を支持することにより、前記床および前記側壁が形成されている
ことを特徴とする請求項２に記載の栽培容器である。
【００２８】
本請求項の発明においては、上下左右に移動可能な少なくとも２本の棒状フレーム２組により布を支持することにより、床および側壁が形成されているため、構造が簡単で低コストでありながらそれぞれの棒状フレームを移動させるだけで栽培容器の幅や厚みを自由に変更させることができる。また、布は通気性を有するため、作物根が過湿害を受けることが無く、作物根に十分な酸素が供給される。
【００２９】
請求項５に記載の発明は、
略長方形の前記床および前記長辺側の側壁が長尺の１枚の布によって一体に形成されており、
前記床の長辺と平行に配置された上下左右に移動可能な少なくとも４本の棒状フレームにより前記布を支持することにより、前記床および前記長辺側の側壁が形成されている
ことを特徴とする請求項３に記載の栽培容器である。
【００３０】
本請求項の発明においては、長尺の１枚の布を、略長方形の床の長辺と平行に配置されて上下左右に移動可能な少なくとも４本の棒状フレームにより支持することにより、床および長辺側の側壁を形成させているため、構造が簡単で低コストでありながらそれぞれの棒状フレームを移動させるだけで栽培容器の幅や厚みを自由に変更させることができる。また、布は通気性を有するため、作物根が過湿害を受けることが無く、作物根に十分な酸素が供給される。
【００３１】
請求項６に記載の発明は、
略四角形の床、前記床の３辺に設けられた側壁を有する第１容器部材および第２容器部材を備え、
前記第１容器部材と第２容器部材とは、互いの床同士および各容器部材の対向する側壁同士が嵌合されており、
嵌合された前記第１容器部材と第２容器部材を相互にスライドさせることにより、前記床の幅が変更できるように構成されている
ことを特徴とする請求項２に記載の栽培容器である。
【００３２】
本請求項の発明においては、さらに、略四角形の床、前記床の３辺に設けられた側壁を有する第１容器部材および第２容器部材を互いに嵌合させて栽培容器としているため、嵌合する容器部材を幅方向に相互にスライドさせることにより培地の幅を自由に変更することができる。
【００３３】
請求項７に記載の発明は、
略長方形の床、前記床の短辺側に設けられた１対の側壁、および一方の長辺側に設けられた側壁を有する第１容器部材および第２容器部材を備え、
前記第１容器部材と第２容器部材とは、互いの床同士および短辺側に設けられた側壁同士が嵌合されており、
嵌合された前記第１容器部材と第２容器部材を相互にスライドさせることにより、前記床の幅が変更できるように構成されている
ことを特徴とする請求項３に記載の栽培容器である。
【００３４】
本請求項の発明においては、さらに、略長方形の床、前記床の両方の短辺側に設けられた側壁、および前記一方の長辺側に設けられた側壁を有する第１容器部材および第２容器部材を互いに嵌合させて栽培容器としているため、嵌合する容器部材を幅方向に相互にスライドさせることにより培地の幅を自由に変更することができる。
【００３５】
請求項８に記載の発明は、
前記側壁の高さが、変更可能なように構成されていることを特徴とする請求項１ないし請求項７のいずれか１項に記載の栽培容器である。
【００３６】
本請求項の発明においては、さらに、側壁の高さが変更可能なように構成されているため、サイズと厚みを変更することができサイズ変更の自由度がより向上して、種々の植物の栽培に容易に対応することができる。
【００３７】
請求項９に記載の発明は、
請求項１ないし請求項８のいずれか１項に記載の栽培容器に培土が収容されていることを特徴とする栽培床である。
【００３８】
前記した栽培容器は、サイズを自由に変更することができる栽培容器であるため、このような栽培容器に培土を摺りきりに収容するのみで、栽培したい作物の種類に対応した好ましいサイズの栽培床を容易に自由に形成して提供することができる。
【００３９】
請求項１０に記載の発明は、
前記培土が、砂土または砂状の人工培土であることを特徴とする請求項９に記載の栽培床である。
【００４０】
本発明において用いられる培土としては、特に限定されないが、砂土や砂状の人工培土は、前記したように、培地中に空隙を形成するため、作物に必要な養水分を十分に保持することができると共に、作物根に十分な酸素を供給することができ、作物根は過湿害を受けることがなく、培地の根圏部分を酸素十分な状態とすることができるため好ましい。
【００４１】
また、砂土や砂状の人工培土は、水洗することにより繰り返し使用しても連作障害を発生することがなく、また、微量成分量に変化がないため、長期にわたり使用できる。
【００４２】
このような砂土や砂状の人工培土を培土として用い、年間を通して種々の作物を栽培する場合に、本発明の効果を顕著に発揮させることができる。
【００４３】
請求項１１に記載の発明は、
請求項９または請求項１０に記載の栽培床、および前記栽培床に液体肥料を供給する灌水装置を備えていることを特徴とする植物栽培装置である。
【００４４】
本請求項の発明においては、１種類の栽培容器を用いて、種々の作物のそれぞれに適したサイズの栽培床を提供することができるため、栽培床に液体肥料を供給する灌水装置と組み合わせることにより、年間を通じて季節に応じた作物を、根菜類、果菜類、葉菜類の区別なく、効率的に栽培することができる。また、きのこ類についても同様に効率的に栽培することができる。
【発明の効果】
【００４５】
本発明によれば、栽培したい作物の種類に対応した好ましいサイズの栽培床を形成することができる栽培容器、前記栽培容器を用いて形成される栽培床、および前記栽培を用いた栽培装置を提供することができる。
【図面の簡単な説明】
【００４６】
【図１】本発明の一実施の形態の栽培床の概要を模式的に示す斜視図である。
【図２】本発明の一実施の形態の栽培床の形状を模式的に示す横断面図である。
【図３】本発明の一実施の形態の栽培床を模式的に示す斜視図であって、（ａ）図は根菜類を、（ｂ）図は葉菜類を栽培している状態を示す図である。
【図４】本発明の他の実施の形態の栽培床の形状を模式的に示す側面図である。
【図５】本発明の一実施の形態の栽培装置の構成を模式的に示す斜視図である。
【発明を実施するための形態】
【００４７】
以下、本発明を実施の形態に基づいて説明する。なお、本実施の形態においては、具体例として床が長方形の栽培容器について説明する。
【００４８】
［１］栽培床
＜１＞第１の実施の形態
本実施の形態の栽培床は、床および床の長辺側に設けられた側壁とが１枚の布で形成されており、床の幅および長辺側に設けられた側壁の高さが任意の寸法に調節できる栽培容器を備える栽培床である。
【００４９】
１．概要
はじめに、栽培床の概要を説明する。図１は本実施の形態の栽培床の概要を模式的に示す図であり、栽培床１が隔離手段である架台５１の上に載置され、地面（土壌）から隔離されていることを示している。２は栽培容器である。
【００５０】
図１に示すように、栽培容器２の長方形の床２ａと床２ａの各長辺側に設けられた側壁２ｂとは、長尺の１枚の布２１によって一体に形成されており、床の長辺と平行に配置された上下左右に移動可能な各１対の第１フレーム２２および第２フレーム２３により、布２１が支持されることによって床２ａと側壁２ｂとが形成されている。
【００５１】
このため、第１フレーム２２、第２フレーム２３のそれぞれを移動させることにより、栽培容器の幅や厚みを自由に変更させることができる。具体的には、２本の第１フレーム２２の幅方向の間隔および２本の第２フレーム２３の幅方向の間隔を調整することにより床２ａの幅を任意の幅に調節することができる。また、第１フレーム２２と第２フレーム２３の上下方向の間隔を調整することにより側壁２ｂの高さを任意の高さに調節することができる。なお、第１フレーム２２の幅と、第２フレーム２３の幅とは一致している必要はなく、栽培容器２の上面と下面とで幅が異なっていてもよい。なお、２ｃは、床２ａの短辺側に設けられた側壁である。
【００５２】
このように、本実施の形態においては、栽培容器２の幅や厚みを自由に変更させることができるため、栽培容器２に摺りきりで培土を収容することにより、栽培する作物の種類に応じて好適な幅と厚みの栽培床１を簡単な構造で低コストに作製することができる。
【００５３】
なお、栽培容器２の内側にはメッシュが張られており、床２ａの幅を拡げたときにできる４隅の隙間から培土が漏れないようにされている。また、床２ａの下側に金属製の網を敷設したり、床２ａの幅方向に複数本のフレームを差し渡すなどの方法で布製の床２ａが収容される培土の重みで撓まないようにされている。
【００５４】
栽培容器の幅と深さ（高さ）を根菜類、果菜類および葉菜類用のそれぞれに調節した状態を図２に示す。図２は本実施の形態の栽培床の形状を模式的に示す横断面図であり、図２（ａ）は根菜類用、図２（ｂ）は果菜類用、図２（ｃ）は葉菜類用の栽培容器および培土を示している。栽培容器に培土３が収容されることにより栽培床が形成される。
【００５５】
前記のように、根菜類用や果菜類用の栽培床は広い幅を必要とせず、根菜類用は厚みがある栽培床が好ましい。一方、葉菜類用は厚みがある栽培床を必要とせず、広い幅の栽培床が好ましい。
【００５６】
このため、図２（ａ）の根菜類用では、床２ａの幅が３６ｃｍ、側壁２ｂの高さ（栽培容器の深さ）が１４ｃｍに調節され、図２（ｂ）の果菜類用では床２ａの幅が３６ｃｍ、側壁２ｂの高さが７ｃｍに調節され、図２（ｃ）の葉菜類用では床２ａの幅が６０ｃｍ、側壁２ｂの高さが７ｃｍに調節されている。
【００５７】
根菜類と葉菜類を植栽した栽培床の状態を図３（ａ）と図３（ｂ）にそれぞれ示す。根菜類の場合は１列に植栽されており、栽培床は培土の厚みが厚く地下茎の成長に適切であり、葉菜類の場合は３列植栽されており、栽培床は培土の厚みが薄く栽培できる面積が広くなっている。これにより、根菜類も葉菜類もより効率良く栽培することができる。また、トマトなどの果菜類も１列に植栽することが好ましく、栽培床の幅を狭くし培土の厚みを葉菜用と同程度に薄くすることにより、葉菜用の栽培床に比べて例えば１／２の灌水量で済み、節水栽培に適した栽培床を容易に準備することができる。
【００５８】
このように、本実施の形態においては、布を第１フレームおよび第２フレームにより支持して栽培容器を形成させているため、上記したように根菜類、葉菜類、果菜類において異なる好ましいサイズの栽培床を１種類の栽培容器で低コストで容易に提供することができる。
【００５９】
２．栽培容器用の布
栽培容器２用の布２１は収容される栽土の重さを受け留めることができるだけの充分な強度を有しておればよく、特に限定されないが、通気性の良いポリエチレン製で折り目が１ｍｍ程度の布が好ましい。
【００６０】
３．培土
培土の種類は特に限定されることはないが、砂、もしくは砂状の人工培土が好ましく用いられ、砂には大きさが２８〜１００メッシュ程度の砂、所謂土木建築に広く用いられている細目砂や、サンゴ砂等との混合物が好ましい。培土は摺りきりにしてよく締めて充填され、孔隙率が３０〜４０％で通気、通水性が良く、過湿防止、酸素供給に好適な構造にすることが好ましい。
【００６１】
＜２＞第２の実施の形態
本実施の形態は、栽培容器が幅方向に分割された２つの部材（容器部材）を嵌合させて形成されており、２つの容器部材を相互にスライドさせることにより、床および短辺側の側壁の長さが可変である栽培容器が用いられた実施の形態である。
【００６２】
図４は本実施の形態の栽培床の栽培容器の構造を模式的に示す側面図であり、栽培容器４１は第１容器部材４２と第２容器部材４３により構成されている。第１容器部材４２と第２容器部材４３は、概略図１の栽培容器２を相対向する短辺側の側壁２ｃの中央部で２分割した構造を有しており、第２容器部材４３は、第１容器部材４２の内側に嵌合することができるように第１容器部材４２より少し小さい寸法に作製されており、第１容器部材４２と第２容器部材４３とは、それぞれの床４２ａと４３ａおよび短辺側に設けられた側壁４２ｃと４３ｃとが重なるように、また長辺側に設けられた側壁４２ｂと４３ｂとが対向するように嵌合されている。
【００６３】
第１容器部材４２と第２容器部材４３は幅方向に相互にスライドさせることが可能であり、スライドさせることにより、栽培容器４１の床の幅、即ち培地の幅を調節することができる。従って、栽培容器４１の幅を広範囲にわたって自由に調節することができ、種々の作物に容易に対応できる。なお、第１容器部材４２と第２容器部材４３のそれぞれの内側には第１の実施の形態と同様にメッシュが張り巡らされている。
【００６４】
［２］栽培装置
次に、栽培装置について説明する。本実施の形態の栽培装置は、前記第１の実施の形態または第２の実施の形態に記載した栽培床と、栽培床を地面（土壌）から隔離する隔離手段と灌水装置を備えている。
【００６５】
図８は本実施の形態の栽培装置の構成を模式的に示す斜視図である。図８において１は栽培床であり、５１は隔離手段としての架台であり、５２は灌水装置である。
【００６６】
栽培床１は架台５１の上に設置されている。架台５１の高さは、作業がし易いように例えば上に伸びる果菜類を栽培する場合には低く設定され、根菜類や葉菜類を栽培する場合には高く設定される。
【００６７】
灌水装置５２には、トリクルパイプ（主管）５３、点滴灌水チューブ５４、架線５５、灌水装置本体５６が設けられており、トリクルパイプ５３にはバルブ５３ａが設けられ、灌水装置本体５６には液体肥料タンク５６ａ、希釈装置５６ｂ、バルブ５６ｃ、制御装置５６ｄが設けられている。
【００６８】
トリクルパイプ５３は内径が数ｃｍのパイプであって、主要部分が栽培容器床の下方に長手方向に沿って設置されている。トリクルパイプ５３の主要部分は所定の間隔、具体的には１０ｃｍの間隔で直径２ｍｍの開口が設けられ、前記開口に内径が１ｍｍ、外径が２ｍｍの点滴灌水チューブ５４が連結されている。点滴灌水チューブ５４は１本おきに交互に左右に分かれて栽培床１の側壁を外側から周り込むようにして栽培床１の上方に導かれ、他端がピアノ線等の架線５５に懸架されている。
【００６９】
トリクルパイプ５３の終端は閉じられており、他端はバルブ５３ａを介して灌水装置本体５６に連結されている。灌水装置本体５６では液体肥料タンク５６ａから液体肥料が供給され、希釈装置５６ｂでバルブ５６ｃを介して外部から取り込まれた水で希釈される。制御装置５６ｄは、バルブ５６ｃを制御して水の流量を調整し、希釈装置５６ｂを制御して液体肥料の希釈倍率を調整して養水を調製し、トリクルパイプ５３に供給する。
【００７０】
供給された養水はバルブ５３ａで所定の流量に調整され点滴灌水チューブ５４を介して栽培床１に点滴灌水される。なお、トリクルパイプ５３の太さが充分に太く設定されており、トリクルパイプ５３内での圧力損失がないため、全ての点滴灌水チューブ５４から均等に養水が点滴灌水される。
【００７１】
本実施の形態の栽培装置は、培土の幅と厚みを自由に変えることができる栽培床を用いているため、作物の種類に応じた種々のサイズの栽培床を備える必要がなく、省スペース化を図ることができる。また、栽培床の幅や深さに応じて灌水量を調節することにより、水や肥料を節約することができる。また、本実施の形態の栽培装置は、きのこ類についての栽培にも適用することができる。
【００７２】
なお、本実施の形態では、具体例として床が長方形の栽培容器について説明したが、本発明は、これに限らず、床が正方形や多角形の栽培容器についても同様に適用することができる。
【００７３】
以上、詳述したように本実施の形態によれば、栽培する作物の種類を変えたときでもスペースや養水の無駄が生じることがなく、培地の幅と厚みをいずれの作物に対しても好適な幅と厚みにすることができる栽培床および栽培装置を提供することができる。
【００７４】
なお、本発明は、上記した実施の形態に限定されるものではない。本発明と同一および均等の範囲内において、上記の実施の形態に対して種々の変更を加えることが可能である。
【符号の説明】
【００７５】
１                                                    栽培床
２、４１                                              栽培容器
２ａ、４２ａ、４３ａ                                  床
２ｂ、２ｃ、４２ｂ、４２ｃ、４３ｂ、４３ｃ            側壁
３                                                    培土
２１                                                  布
２２                                                  第１フレーム
２３                                                  第２フレーム
４２                                                  第１容器部材
４３                                                  第２容器部材
５１                                                  架台（隔離手段）
５２                                                  灌水装置
５３                                                  トリクルパイプ（主管）
５３ａ、５６ｃ                                        バルブ
５４                                                  点滴灌水チューブ
５５                                                  架線
５６                                                  灌水装置本体
５６ａ                                                液体肥料タンク
５６ｂ                                                希釈装置
５６ｄ                                                制御装置
【図１】
2014075991.tif 000003
【図２】
2014075991.tif 000004
【図３】
2014075991.tif 000005
【図４】
2014075991.tif 000006
【図５】
2014075991.tif 000007